(57)【特許請求の範囲】
【請求項１】
スクリーン（１）の巻き上げロール（２）と、前記巻き上げロールを支持する回転側及び固定側サイドホルダ（５、８）と、前記巻き上げロールに一端が、前記固定軸に他端がそれぞれ一体回転するように接続されたスプリングとからなるロールスクリーンのスプリング初巻保持機構であって、前記固定軸は角柱状の角軸部（１３）を有し、前記角軸部は半径方向に開口するストッパ溝（１４）を有し、前記ストッパ溝は出入可能なストッパ（１５）とそれを押し出そうとするばね（１６）を収容し、前記角軸部の先端のストッパ溝開口側端部はひれ（１９）により幅が拡大し、前記固定側サイドホルダは前記角軸部が半径方向に前記ストッパ溝の反対側から挿入されるときのみ前記角軸部が挿入可能な軸受溝（２０）を有し、前記巻き上げロールのロールエンド（１２）は前記ストッパの押し出し限度を規定すると共に前記ストッパの露出を制限する内周面部（１７）を有し、前記内周面部は押し出された前記ストッパに当接して前記回転軸の前記ロールに対する回転を規制する突起（１８）を有することを特徴とするロールスクリーンのスプリング初巻保持機構。
【請求項２】
前記回転側サイドホルダ（５）及び前記固定側サイドホルダ（８）は、同形同大のホルダプレート（６、９）に回転軸軸受部（７）及び固定軸軸受部（１０）がそれぞれ小ねじを介して脱着自在に固定されてなることを特徴とする請求項１記載のロールスクリーンのスプリング初巻保持機構。
【請求項３】
前記固定軸軸受部（１０）に、前記軸受溝の側周開口（２１）に重合可能な側周開口（２２）を備えたカバー（１１）が回動可能に取り付けられることを特徴とする請求項１又は２記載のロールスクリーンのスプリング初巻保持機構。
【請求項４】
前記固定軸（３）の回転は、手で操作されるときは、前記ストッパ（１５）を前記ばね（１６）に抗して前記ストッパ溝（１４）に押し込むことができるが、手から放すと、前記ばねにより前記ストッパと共に押し返されるように形成されたワインダ（２３）によってなされることを特徴とする請求項１記載のロールスクリーンのスプリング初巻保持機構。
【発明の詳細な説明】
【０００１】
【発明の属する技術分野】
本発明はスプリングの反発力を利用してスクリーンを巻き上げるロールスクリーンのスプリング初巻保持機構に関する。
【０００２】
【従来の技術】
ロールスクリーンの初巻保持機構は、特公昭６４−１１７９７号により公知である。この公知機構は、巻き上げロールの固定軸に設けられたストッパ溝と、そのストッパ溝に出入自在に装着されたストッパと、そのストッパを押し出そうとするばねと、ロールエンドの内周に形成されてストッパと係合する溝と、固定軸を軸受溝にはめて支持するサイドホルダに取り付けられたふたとからなり、ふたが閉じると、ストッパがふたでストッパ溝に押し込まれるため、固定軸は巻き上げロールに対して回転可能となり、ふたが開くとばねがストッパを押し出して溝にはめ込み、固定軸の相対回転を規制するものであった。
【０００３】
この公知機構には次のような問題があった。
１．サイドホルダの軸受溝は、固定軸をストッパ溝の反対側からだけでなく、ストッパ溝側からも挿入可能であるため、誤って固定軸をストッパ溝側から挿入すると、ストッパが押し込まれてスプリング初巻きが解除される。
２．Ｔ字形横断面を有するストッパの広幅な頭部が露出するため、ストッパに対する不用意な接触により、ストッパが押し込まれ、スプリング初巻きが解除されることがある。
３．左右のサイドホルダは左勝手又は右勝手専用であるため、巻き上げロールの左右を、サイドホルダを別に用意しないと、反転して使用することができない。
４．スプリング初巻きを付与又は調整するワインダは、常にストッパを押し込んだ状態に保持する方式であるため、スプリング初巻きの付与又は調整中に、ワインダを手放すと、スプリングの反発力でスプリング初巻きが解除されるだけでなく、ワインダと固定軸が急回転して危険である。
【０００４】
【発明が解決しようとする課題】
本発明は上記問題を解決するためになされたものであり、その課題は、次のようなロールスクリーンのスプリング初巻き保持機構を提供することにある。
１．固定軸をサイドホルダの軸受溝へ誤ってストッパ溝側から挿入することによるスプリング初巻きの解除を防止する。
２．ストッパに対する不用意な接触によるスプリング初巻きの解除を防止する。
３．サイドホルダを別に用意しなくても、巻き上げロールの左右反転ができるようにする。。
４．スプリング初巻きの付与又は調整中、ワインダを手放したときに起きるスプリング初巻き解除と急回転の危険を防止する。
【０００５】
【課題を解決するための手段】
前記課題を達成するため、本発明が採用する手段は、スクリーンの巻き上げロールと、その巻き上げロールを支持する回転側及び固定側サイドホルダと、巻き上げロールに一端が固定軸に他端がそれぞれ一体回転するように連結されたスプリングとからなるロールスクリーンにおいて、固定軸の軸端部を角柱状の角軸部に形成し、その角軸部に半径方向に開口するストッパ溝を形成し、そのストッパ溝に出入可能なストッパと、そのストッパを押し出そうとするばねを内装し、角軸部の先端のストッパ溝開口側端部の幅を拡大させるひれを設け、固定側サイドホルダに固定軸軸受部を脱着自在に固定し、その固定軸受部に、角軸部が半径方向にストッパ溝の反対側から挿入されたときにのみ挿入可能な軸受溝を形成し、巻き上げロールのロールエンドに、ストッパに当接してストッパの押し出し限度を規定すると共にストッパの露出を制限する内周面部と、その内周面部から突出して押し出されたストッパに当接して固定軸の巻き上げロールに対する相対回転を規制する複数の突起を設けたことにある。
【０００６】
固定軸軸受部にカバーを回動可能に抱くように弾性的に取り付け、そのカバーに回転軸受部の軸受溝の側周開口に重合する側周開口を形成し、固定軸軸受部に角軸部を軸受けした後に、カバーを回してその軸受溝の側周開口を封鎖すると、ストッパはほとんど外部に露出しなくなる。
【０００７】
回転側及び固定側サイドホルダをホルダプレートと回転軸及び固定軸軸受部からそれぞれ形成し、回転軸及び固定軸軸受部を同形同大のホルダプレートに小ねじを介して脱着自在に固定すると、軸受部を交換するだけで巻き上げロールの左右を反転することができる。
【０００８】
スプリング初巻きを付与又は調整するために使用するワインダは、手で操作すると、ストッパをばねに抗してストッパ溝に押し込むことができるが、手を放すとばねでストッパと共に押し返されるように形成し、ワインダの手放しによる危険と、スプリング初巻きの解除を防止することが望ましい。
【０００９】
【発明の実施の形態】
本発明の機構を図面に基づいて説明する。
図１は実施例を備えたロールスクリーンの正面図である。
【００１０】
ロールスクリーンは、スクリーン１の巻き上げロール２と、その巻き上げロールの両端面から突出する固定軸３と回転軸４を有する。固定軸３は巻き上げロール２に対して相対回転可能であり、回転軸４はロール２と一体回転する。図外のスプリングは一端がロール２と一体回転するように、他端が固定軸３と一体回転するようにそれぞれ連結され、スプリング初巻きは、巻き上げロール２に対して、固定軸３をスプリングが巻き締まる方向に相対回転させることにより付与される。
【００１１】
図において、右側の回転軸４は、回転軸側サイドホルダ５に回転自在に軸受けされる。このサイドホルダ５は、ホルダプレート６と、回転軸軸受部７とからなり、回転軸軸受部７は小ねじを介してホルダプレート６に脱着自在に固定される。左側の固定軸３は固定側サイドホルダ８に回転しないように支持される。このサイドホルダ８は、ホルダプレート９と、固定軸軸受部１０と、カバー１１とからなる。ホルダプレート９は回転側サイドホルダ５のホルダプレート６と同形同大の共通品である。
【００１２】
固定軸３のストッパ溝１４にストッパ１５が挿入される。巻き上げロール２の外側に露出するストッパ１５の頭部は横断面が細幅の長方形である。
【００１３】
図５に示すように、固定軸軸受部１０は小ねじ２４を介してホルダプレート９に脱着自在に固定され、カバー１１は固定軸軸受部１０を抱くように相互回動可能に取り付けられる。
【００１４】
図２は巻き上げロールの左側面図、図３は巻き上げロールの端部縦断面図である。
【００１５】
固定軸３の巻き上げロール２のロールエンド１２から突出する角軸部１３はストッパ溝１４を有し、そのストッパ溝にストッパ１５が出入可能に挿入される。ストッパ溝１４の内部にストッパ１５を半径方向にストッパ溝１４から押し出すばね１６が内装される。ばね１６はストッパ１５がロールエンド１２の内周面部１７に当接するまで押し出す。ロールエンド１２の内周面部１７は半径方向に突出する４つの突起１８を有するから、ストッパ１５が押し出されると、巻き上げロール２と固定軸３の相対的回転は、ストッパ１５と突起１８の当接により規制されるが、ストッパ１５がストッパ溝１４に押し込まれると、巻き上げロール２と固定軸３の相対回転は自由になる。角軸部１３の先端のストッパ溝開口側端部にひれ１９を形成して角軸部１３の先端ストッパ溝開口側の幅を拡大する。
【００１６】
ストッパ１５の巻き上げロール２の外側に露出する部分の頭部は細幅であるから、不用意な接触により、ストッパ１５が押し込まれてスプリング初巻きが解除されるおそれはない。
【００１７】
図４（ａ）、（ｂ）は固定側サイドホルダの右側面図、図５は図４の固定軸軸受部の縦断面図である。
【００１８】
固定側サイドホルダ８の固定軸軸受部１０は固定軸の角軸部がはまり込む軸受溝２０を有する。軸受溝２０は軸方向に見ると、角軸部の側面と同形であり、側周開口２１の近くは広いが、その奥は狭いから、固定軸の角軸部は、幅が拡大したストッパ溝開口側からは挿入不能であり、ストッパ溝開口側の反対側からのみ挿入可能である。固定軸の角軸部を軸受溝２０に挿入するとき、図４（ａ）に示すように、カバー１１の側周開口２２は固定軸軸受部１０の軸受溝２０の側周開口２１と連通するが、挿入後、カバー１１を回動させると、例えば半回転させると、図４（ｂ）に示すように、固定軸軸受部１０の側周開口はカバー１１により封鎖されるから、軸受溝２０内のストッパは外部に露出しないから、不用意なストッパへの接触は防止される。カバー１１を固定軸軸受部に回動可能に取り付けるため、カバー１１の底面内周縁のフック２６を固定軸軸受部１０の底面の外周段部２５に掛ける。
【００１９】
【実施例】
本発明の実施例のワインダを使用して、前記実施例を備えたロールスクリーンに初巻きを付与する操作を説明する。
図６は、ワインダを固定軸に掛けた状態を示す。図７は、図６のＶＩＩ−ＶＩＩ矢視図である。
【００２０】
ワインダ２３は、固定軸３に掛けたとき、角軸部１３が軸方向にすっぽりはまり込む嵌合溝２７と、ストッパ１５に当接する押え部２８と、そこからワインダ２３をストッパ溝１４側へ引いたときに、角軸部１３のひれ１９の部分が入り込む逃げ穴２９を有するスパナ工具である。矢印方向にワインダ２３を引くと、図７に示すように、押え部２８がストッパ１５を押し上げるばねに抗してストッパ溝１４に押し込むから、固定軸３が回転してもストッパ１５はロール２のロールエンド１２の突起１８に当たらない。したがって、固定軸３をロール２に対して相対的に回転すると、巻き上げロール２内のスプリングにスプリング初巻きを付与又は調整することができる。従来のワインダはストッパを常にストッパ溝に押し込んだ状態に保持する。したがって、手を放すと、ワインダが固定軸と共にスプリングの反発力で急回転するため、スプリング初巻きが解除されるだけでなく、非常に危険であった。しかし、本発明のワインダ２３は、手を放すと、ばねがワインダ２３をストッパ１５と共に押し上げるから、押し出されたストッパ１５がロールブラインド１２の突起１８に当接する。その結果、ワインダ２３と固定軸３の急回転は制止されるから、危険はなく、スプリング初巻きの解除も防止される。
【００２１】
【発明の効果】
上記のとおり、本発明のスプリング初巻き保持機構は、次のような優れた効果を奏する。
１．固定側サイドホルダの軸受溝に挿入する固定軸の角軸部は、挿入方向を誤ると、軸受溝に挿入することができない形状であるから、従来のように、角軸部を軸受溝に逆方向に挿入することによるスプリング初巻きの解除は未然に防止される。
２．固定軸に設けたストッパは、ロールエンドと固定側サイドホルダのカバーによりほとんど外部に露出しないから、接触により、スプリング初巻きが解除されるおそれはない。巻き上げロールの外側において、ストッパの頭部が外部に露出するが、この部分は細幅としたから、不用意な接触により、ストッパがストッパ溝に押し込まれてスプリング初巻きが解除されるおそれはない。
３．両側のサイドホルダは、同形同大のホルダプレートに回転軸及び固定軸軸受部を小ねじを介してそれぞれ固定してなるから、回転軸及び固定軸軸受部を相互に交換するだけでロールスクリーンの左右を反転して使用することができる。
４．スプリング初巻きの付与又は調整に用いるワインダは、手を放すとストッパと共にばねに押し返されて固定軸の回転は阻止されるから、ワインダを手放したときの急回転の危険とスプリング初巻きの解除は未然に防止される。
【図面の簡単な説明】
【図１】本発明機構の実施例を備えたロールスクリーンの正面図、
【図２】図１の巻き上げロールの左側面図、
【図３】図２の巻き上げロールの端部縦断面図、
【図４】図１の固定側サイドホルダの左側面図、（ａ）はリングカバーが軸受溝の側周開口を開けた状態を、（ｂ）はリングカバーが軸受溝の側周開口を閉じた状態を、それぞれ示す。
【図５】図４の固定軸軸受部の縦断面図、
【図６】ワインダを掛けた巻き上げロールの側面図、
【図７】図６のＶＩＩ−ＶＩＩ線矢視図、
【符号の説明】
１：スクリーン
２：巻き上げロール
３：固定軸
４：回転軸
５：サイドホルダ（回転側）
６：ホルダプレート
７：回転軸軸受部
８：サイドホルダ（固定側）
９：ホルダプレート
１０：固定軸軸受部
１１：カバー
１２：ロールエンド
１３：角軸部
１４：ストッパ溝
１５：ストッパ
１６：ばね
１７：内周面部
１８：突起
１９：ひれ
２０：軸受溝
２１：側周開口
２２：側周開口
２３：ワインダ
２４：小ねじ
２５：外周段部
２６：フック
２７：嵌合溝
２８：押え部
２９：逃げ穴
【図１】
0004407057.tif 000002
【図２】
0004407057.tif 000003
【図３】
0004407057.tif 000004
【図４】
0004407057.tif 000005
【図５】
0004407057.tif 000006
【図６】
0004407057.tif 000007
【図７】
0004407057.tif 000008